(57)【要約】【課題】詳細な画像加工履歴情報を必要とすることなく、効果的で動きのある画像の再生表示をする。【解決手段】初期画像と、初期画像に対する任意の加工処理を示す加工情報を対応付けて記憶している記憶部１０２と、初期画像から、初期画像を加工情報の示す加工処理をすることにより生成される加工画像への変化過程を示す中間画像を生成する画像処理部１０６と、初期画像、中間画像、加工画像を表示装置に表示させる表示制御部１０８と、を備える、表示制御装置１００を提供する。【選択図】図２
2009295041.tif 000002
【特許請求の範囲】
【請求項１】
初期画像と、前記初期画像に対する任意の加工処理を示す加工情報を対応付けて記憶している記憶部と、
前記初期画像から、前記初期画像を前記加工情報の示す加工処理をすることにより生成される加工画像への変化過程を示す中間画像を生成する画像処理部と、
前記初期画像、前記中間画像、前記加工画像を表示装置に表示させる表示制御部と、
を備える、表示制御装置。
【請求項２】
前記記憶部には、複数の静止画像が記憶されており、
前記記憶部に記憶されている前記静止画像に前記加工情報が対応付けられているか否かを判断する判断部を備え、
前記画像処理部は、前記静止画像に前記加工情報が対応付けられている場合に、前記静止画像から、前記静止画像を前記加工情報の示す加工処理をすることにより生成される加工画像への変化過程を示す中間画像を生成し、前記表示制御部は、前記静止画像、前記中間画像、前記加工画像を表示装置に表示させる、請求項１に記載の表示制御装置。
【請求項３】
前記表示制御部は、前記静止画像、前記中間画像、前記加工画像を順次に表示装置に表示させる、請求項１または２のいずれかに記載の表示制御装置。
【請求項４】
前記表示制御部は、前記静止画像、前記中間画像、前記加工画像を含む表示画像を表示装置に表示させる、請求項１〜３のいずれかに記載の表示制御装置。
【請求項５】
前記画像処理部は、前記初期画像から、前記加工情報に基づいて加工後画像を生成し、
前記記憶部は、前記加工後画像に加工された画像であることを示す加工後情報を対応付けて記憶している、請求項１〜４のいずれかに記載の表示制御装置。
【請求項６】
前記判断部は、前記記憶部に記憶されている前記静止画像に前記加工後情報が対応付けられているか否かを判断し、
前記表示制御部は、前記判断部により前記静止画像に前記加工後情報が対応付けられていると判断した場合に、前記静止画像を前記表示装置に表示させない、請求項１〜５のいずれかに記載の表示制御装置。
【請求項７】
記憶部に記憶された初期画像から、前記初期画像に対して、前記初期画像に対する任意の加工処理を示す加工情報を前記初期画像と対応付けて記憶された前記加工情報の示す加工処理をすることにより生成される加工画像への変化過程を示す中間画像を生成するステップと、
前記初期画像、前記中間画像、前記加工画像を表示装置に表示させるステップと、
を含む、表示制御方法。
【請求項８】
前記記憶部には、複数の静止画像が記憶されており、
前記記憶部に記憶されている前記静止画像に前記加工情報が対応付けられているか否かを判断するステップをさらに含む、請求項７に記載の表示制御方法。
【請求項９】
コンピュータを、
初期画像と、前記初期画像に対する任意の加工処理を示す加工情報を対応付けて記憶している記憶部と、
前記初期画像から、前記初期画像を前記加工情報の示す加工処理をすることにより生成される加工画像への変化過程を示す中間画像を生成する画像処理部と、
前記初期画像、前記中間画像、前記加工画像を表示装置に表示させる表示制御部と、
を備える、表示制御装置として機能させるための、プログラム。
【発明の詳細な説明】
【技術分野】
【０００１】
本発明は、表示制御装置、表示制御方法およびプログラムに関し、特に、画像の加工情報を用いて効果的で動きのある画像再生をすることが可能な表示制御装置、表示制御方法およびプログラムに関する。
【背景技術】
【０００２】
近年、多くの表示制御装置に、記録メディア等に記録されている画像に、様々な効果を加える加工を施し、加工後の画像を加工前の画像とは別の画像として保存する機能が備えられている。表示制御装置としては、例えば、パーソナルコンピュータ（ＰＣ）、テレビ、デジタルスチルカメラ（ＤＳＣ）、デジタルビデオカメラ（ＤＶＣ）、携帯電話等が例示できる。また、画像の加工処理としては、例えば、トリミング、赤目補正、ソフトフォーカス、パートカラー、魚眼、クロスフィルター、放射、レトロ等などが例示できる。
【０００３】
従来の表示制御装置においては、加工前の画像と加工後の画像は関連性のない個別の画像として取り扱われていた。また、通常加工前及び加工後の画像は動きのない静的な画像であり、再生時に加工前、加工後の画像を見たい場合には、ユーザが表示画像の切り替えを行う必要があった。また、表示制御装置により、表示する画像を一定時間毎に自動的に切り替えるスライドショー機能は従来から存在していたが、当該機能はあくまで画像を順番に表示するだけで、加工処理が施された画像をより動きのある再生方法によって表示することはできなかった。
【０００４】
そこで、加工前の画像と加工後の画像を一定時間毎に繰り返し表示させることにより、動きのある再生を可能にする技術が開示されている（例えば、特許文献１）。また、画像加工時の加工履歴情報を画像の記録媒体と対応付けて保存し、再生時に加工履歴情報に基づいて表示を行う技術も開示されている（例えば、特許文献２）。
【０００５】
【特許文献１】特開２００２−９９９２１号公報
【特許文献２】特開２００６−４８８２６号公報
【発明の開示】
【発明が解決しようとする課題】
【０００６】
しかし、特許文献１では、再生時に、加工前と加工後の画像を一定時間毎に繰り返し表示する、という単純な表示方法のみしかできず、動きのある再生方法とは言い難く、ユーザに十分な画像閲覧の楽しさを提供することができないという問題があった。また、特許文献２においては、画像を加工、再生する際に詳細な加工操作履歴情報を保存、解読しなければならず、制御アルゴリズムが複雑になり、加工操作時に記録する加工操作履歴情報も肥大化するという問題があった。さらには、ユーザは、常に再生時に加工効果が表れる順番を考慮しながら加工操作をしなければ、再生時に十分な加工効果を得ることができないという問題があった。
そこで、本発明は、上記問題に鑑みてなされたものであり、本発明の目的とするところは、詳細な画像加工履歴情報を必要とすることなく、効果的で動きのある画像の再生表示が可能な、新規かつ改良された、表示制御装置、表示制御方法およびプログラムを提供することにある。
【課題を解決するための手段】
【０００７】
上記課題を解決するために、本発明のある観点によれば、初期画像と、初期画像に対する任意の加工処理を示す加工情報を対応付けて記憶している記憶部と、初期画像から、初期画像を加工情報の示す加工処理をすることにより生成される加工画像への変化過程を示す中間画像を生成する画像処理部と、初期画像、中間画像、加工画像を表示装置に表示させる表示制御部と、を備える、表示制御装置が提供される。
【０００８】
かかる構成によれば、初期画像と初期画像に対する任意の加工処理を示す加工情報を対応付けて記憶し、初期画像から初期画像を加工情報の示す加工処理をすることにより生成される加工画像への変化過程を示す中間画像を生成し、初期画像、中間画像、加工画像を表示装置に表示させる。また、記憶された静止画像に加工情報が対応付けられているか否かを判断して、当該静止画像に加工情報が対応付けられている場合には、当該画像に加工情報の示す加工処理をすることにより生成される加工画像への変化過程を示す中間画像を生成し、表示装置に静止画像、中間画像、加工画像を表示する
【０００９】
これにより、詳細な画像加工履歴情報を必要とすることなく、効果的で動きのある画像の再生表示が可能となる。また、ユーザは、再生時の画像の動きを意識せずに加工操作を行うことができ、再生時に加工の効果を十分に楽しむことができる。
【００１０】
また、上記記憶部には、複数の静止画像が記憶されており、記憶部に記憶されている静止画像に加工情報が対応付けられているか否かを判断する判断部を備え、画像処理部は、静止画像に加工情報が対応付けられている場合に、静止画像から、静止画像を加工情報の示す加工処理をすることにより生成される加工画像への変化過程を示す中間画像を生成し、表示制御部は、静止画像、中間画像、加工画像を表示装置に表示させるようにしてもよい。
【００１１】
また、上記表示制御部は、静止画像、中間画像、加工画像を順次に表示装置に表示させるようにしてもよい。
【００１２】
また、上記表示制御部は、静止画像、中間画像、加工画像を含む表示画像を表示装置に表示させるようにしてもよい。
【００１３】
また、上記画像処理部は、初期画像から、加工情報に基づいて加工後画像を生成し、上記記憶部は、加工後画像に加工された画像であることを示す加工後情報を対応付けて記憶していてもよい。
【００１４】
また、上記判断部は、記憶部に記憶されている静止画像に加工後情報が対応付けられているか否かを判断し、表示制御部は、判断部により静止画像に加工後情報が対応付けられていると判断した場合に、静止画像を表示装置に表示させないようにしてもよい。
【００１５】
上記課題を解決するために、本発明の別の観点によれば、記憶部に記憶された初期画像から、初期画像に対して、初期画像に対する任意の加工処理を示す加工情報を初期画像と対応付けて記憶された加工情報の示す加工処理をすることにより生成される加工画像への変化過程を示す中間画像を生成するステップと、初期画像、中間画像、加工画像を表示装置に表示させるステップと、を含む、表示制御方法が提供される。
また、上記記憶部には、複数の静止画像が記憶されており、記憶部に記憶されている静止画像に加工情報が対応付けられているか否かを判断するステップをさらに含むようにしてもよい。
【００１６】
また、上記課題を解決するために、本発明の別の観点によれば、コンピュータを、初期画像と、初期画像に対する任意の加工処理を示す加工情報を対応付けて記憶している記憶部と、初期画像から、初期画像を加工情報の示す加工処理をすることにより生成される加工画像への変化過程を示す中間画像を生成する画像処理部と、初期画像、中間画像、加工画像を表示装置に表示させる表示制御部と、を備える、表示制御装置として機能させるための、プログラムが提供される。
【発明の効果】
【００１７】
以上説明したように本発明によれば、詳細な画像加工履歴情報を必要とすることなく、効果的で動きのある画像の再生表示できる。
【発明を実施するための最良の形態】
【００１８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００１９】
まず、本発明の実施形態の目的について説明する。近年、多くの表示制御装置に、記録メディア等に記録されている画像に、様々な効果を加える加工を施し、加工後の画像を加工前の画像とは別の画像として保存する機能が備えられている。表示制御装置としては、例えば、パーソナルコンピュータ（ＰＣ）、テレビ、デジタルスチルカメラ（ＤＳＣ）、デジタルビデオカメラ（ＤＶＣ）、携帯電話等が例示できる。また、画像の加工処理としては、例えば、トリミング、赤目補正、ソフトフォーカス、パートカラー、魚眼、クロスフィルター、放射、レトロ等などが例示できる。
【００２０】
従来の表示制御装置においては、加工前の画像と加工後の画像は関連性のない個別の画像として取り扱われていた。また、通常加工前及び加工後の画像は動きのない静的な画像であり、再生時に加工前、加工後の画像を見たい場合を一定時間毎に自動的に切り替えを行う必要があった。また、表示制御装置により、表示する画像を一定時間毎に自動的に切り替えるスライドショー機能は従来から存在していた。しかし、当該機能はあくまで画像を順番に表示するだけで、加工処理が施された画像をより動きのある再生方法によって表示することはできなかった。
【００２１】
そこで、加工前の画像と加工後の画像を一定時間毎に繰り返し表示させることにより、動きのある再生を可能にする技術や、画像加工時の加工履歴情報を画像の記録媒体と対応付けて保存し、再生時に加工履歴情報に基づいて表示を行う技術が開示されている。しかし、上記の従来技術では、再生時に、加工前と加工後の画像を一定時間毎に繰り返し表示する、という単純な表示方法のみしかできず、動きのある再生方法とは言い難く、ユーザに十分な画像閲覧の楽しさを提供することができないという問題があった。
【００２２】
また、画像を加工、再生する際に詳細な加工操作履歴情報を保存、解読しなければならず、制御アルゴリズムが複雑になり、加工操作時に記録する加工操作履歴情報も肥大化するという問題があった。さらには、ユーザは、常に再生時に加工効果が表れる順番を考慮しながら加工操作をしなければ、再生時に十分な加工効果を得ることができないという問題があった。
【００２３】
このように、従来技術では加工操作を行った画像の再生方法は、加工操作を行っていない画像の再生方法と全く同じものであったり、極めて単純な効果を加えて再生するだけのもであったりする。また、動きのある効果を加えて再生するためには、画像加工時に加工履歴情報を記録しておき、その履歴情報を用いて再生を行う必要があった。このため、ユーザは加工時に再生時の表示順を意識しなければならなかった。
【００２４】
さらに、従来のデジタルカメラ等において、再生時に表示される画像の順番は、画像ファイルのファイル名順であったり、画像ファイルの作成日時順であったり、あるいはデジタルスチルカメラの場合、画像ファイルに付加された撮影日時順であることが多い。一方、これらの装置で、ある画像に加工操作を施して新しい画像ファイルとして記憶メディアに記録する場合、付加されるファイル名は、その時点で記憶メディアに保存されている最大番号ファイル名をインクリメントしたものであったり、画像作成日時は保存操作を行った実際の日時となっていたりする場合がある。
【００２５】
このため、加工前の画像と加工後の画像は、再生時の表示順番が全く離れたものになり、加工画像の閲覧効果をユーザに十分与えることができなかった。また、従来の表示制御装置には、再生時に画像をズームやフェードすることにより動きのある効果を表現させるものがあるが、それは当該装置が自動的に選択した表現方法であり、必ずしもユーザが意図した効果を得られていなかった。
【００２６】
そこで、上記のような事情を一着眼点として、本発明の実施形態にかかる表示制御装置１００が創作されるに至った。本実施形態にかかる表示制御装置１００によれば、詳細な画像加工履歴情報を必要とすることなく、効果的で動きのある画像の再生表示が可能となる。また、ユーザは再生時の画像の動きを意識せずに加工操作を行うことができ、再生時に加工の効果を十分に楽しむことができる。
【００２７】
なお、本実施形態において、表示制御装置１００は、ディスプレイ等の表示装置やカメラ等の撮像装置とは別体の装置として構成したが、かかる例に限定されない。例えば、表示制御装置を表示装置と一体として構成したり、撮像装置と一体として構成したりするようにしてもよい。以下では、表示制御装置１００として、デジタルカメラ１を例示し、画像処理としてトリミングとクロスフィルター処理を施した画像をスライドショーで再生する場合を例示して以下説明する。スライドショーとは、デジタルカメラにおいて、表示される画像が所定時間毎に自動的に切り替えられて再生される機能である。
【００２８】
次に、図１に基づいて、本実施形態にかかる表示制御装置１００の一例であるデジタルカメラ１の構成について説明する。図１は、本実施形態にかかる表示制御装置１００の一例であるデジタルカメラ１の構成を示すブロック図である。図１に示したように、デジタルカメラ１は、撮像部１０、ＣＰＵ１１、ＦＬＡＳＨメモリ１２、Ｉ／Ｏ制御部１３、メモリカード１４、操作入力部１６、プログラムＲＡＭ１７、画像ＲＡＭ１８、表示制御部１９、ＬＣＤパネル２０などを備える。
【００２９】
デジタルカメラ１の主な機能について説明する。ＣＰＵ１１は、演算処理装置および制御装置として機能し、各種プログラムに従ってデジタルカメラ１内の動作全般を制御する。また、ＣＰＵ１１は、マイクロプロセッサであってもよい。ＦＬＡＳＨメモリ１２は、ＣＰＵ１１が使用する制御プログラムや演算パラメータ等を記憶している。
【００３０】
デジタルカメラ１の電源起動時に、ＦＬＡＳＨメモリ１２に格納されている制御プログラムがＦＬＡＳＨメモリ１２からプログラムＲＡＭ１７へ転送される。ＣＰＵ１１はプログラムＲＡＭ１７上の制御プログラムを実行することで、デジタルカメラの動作を制御する。プログラムＲＡＭ１７は、各画像を識別する画像の画像ＩＤリストを記録してもよい。
【００３１】
操作入力部１６は、例えば、タッチパネル、ボタン、マイク、スイッチおよびレバーなどユーザが情報を入力するための入力手段と、ユーザによる入力に基づいて入力信号を生成し、ＣＰＵ１１に出力する入力制御回路などから構成されている。操作入力部１６は、ユーザの操作を検出してＣＰＵ１１に通知する機能を有する。
【００３２】
画像ＲＡＭ１８は、撮像部１０で取得された撮像画像データや、処理中の撮影画像データを一時的に保存しておくメモリである。画像を加工する際には、加工前の画像データを一旦保持し、加工処理中の画像を保持する必要があるため、プログラムＲＡＭ１７とは別に画像ＲＡＭ１８が必要となる。また、メモリカード１４に格納されている画像を再生する際にも、画像ＲＡＭ１８が使用される。本実施形態においては、撮像部１０において取得された加工前の画像データを初期画像とも称して以下説明する。
【００３３】
以上、デジタルカメラ１の構成について説明した。次に、図２を参照して、表示制御装置１００の主な機能構成について説明する。図２に示したように、表示制御装置１００は、記憶部１０２、判断部１０４、画像処理部１０６、表示制御部１０８などを備える。記憶部１０２は、上記したメモリカード１４等を例示でき、判断部１０４および画像処理部１０６は、上記したＣＰＵ１１を例示できる。また、表示制御部１０８は、上記した表示制御部１８を例示できる。
【００３４】
記憶部１０２は、例えば、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）などの不揮発性メモリや、ハードディスクおよび円盤型磁性体ディスクなどの磁気ディスクや、ＣＤ−Ｒ（Ｃｏｍｐａｃｔ  Ｄｉｓｃ  Ｒｅｃｏｒｄａｂｌｅ）／ＲＷ（ＲｅＷｒｉｔａｂｌｅ）、ＤＶＤ−Ｒ（Ｄｉｇｉｔａｌ  Ｖｅｒｓａｔｉｌｅ  Ｄｉｓｃ  Ｒｅｃｏｒｄａｂｌｅ）／ＲＷ／＋Ｒ／＋ＲＷ／ＲＡＭ（Ｒａｎｄａｍ  Ａｃｃｅｓｓ  Ｍｅｍｏｒｙ）およびＢＤ（Ｂｌｕ−ｒａｙ  Ｄｉｓｃ（登録商標））―Ｒ／ＢＤ−ＲＥなどの光ディスクや、ＭＯ（Ｍａｇｎｅｔｏ  Ｏｐｔｉｃａｌ）ディスクなどの記憶媒体であってもよい。
【００３５】
記憶部１０２は、上記した撮像部１０等により取得された初期画像と、初期画像に対する任意の加工処理を示す加工情報を対応付けて記憶する機能を有する。初期画像とは、上記したように、加工処理が施される前の画像である。初期画像に対する任意の加工処理とは、例えば、トリミング、赤目補正、ソフトフォーカス、パートカラー、魚眼、クロスフィルター、放射、レトロ等などを例示できる。初期画像に対する当該加工処理を示す加工情報とは、画像加工の概要や画像加工のパラメータの情報などである。
【００３６】
ここで、図３を参照して、加工処理２００および加工処理を示す加工情報３００の内容について説明する。図３は、加工処理２００および加工処理を示す加工情報３００の内容を説明する説明図である。図３に示したように、加工処理２００としては、画像加工の種類２０１、画像加工の概要２０２、画像加工のパラメータ２０３等が例示できる。本実施形態においては、画像加工の種類２０１として、トリミングおよびクロスフィルターを例示して以下説明する。
【００３７】
トリミングの画像加工の概要は、「画像の一部を選択して切り出す」ことである。また、画像加工のパラメータとしては、画像の中心点のｘ座標、画像の中心点のｙ座標、画像の横幅、画像の縦幅等が挙げられる。また、クロスフィルターの画像加工の概要は、「光源を中心に光を放射し、きらびやかな印象にする」ことである。画像加工のパラメータとしては、光の長さ、光の強さ、クロスの本数等が挙げられる。
【００３８】
次に、加工処理を示す加工情報３００について説明する。図３に示したように、加工情報３００としては、画像ＩＤ３０１、加工の種類３０２、画像加工パラメータ３０３、加工後画像の画像ＩＤ３０４、加工後画像判別フラグ３０５等が例示できる。画像ＩＤ３０１は、メモリーカード等の記憶部１０２に記憶されている画像を識別する情報であり、記憶されている全画像に重複することのない唯一のＩＤである。加工の種類３０２は、当該画像に加工処理が行われた場合には、行われた加工の種類を識別する値の情報であり、当該画像に加工処理が行われていない場合には、無効な値となる。
【００３９】
画像加工パラメータ３０３は、上記した加工の種類３０２の各々に対応した画像加工パラメータの情報である。加工後画像の画像ＩＤ３０４は、加工後の画像をメモリカード等の記憶部１０２に保存した場合には、加工後の画像の画像ＩＤの情報であり、加工後の画像をメモリカード等の記憶部１０２に保存しなかった場合には無効な値となる。加工後画像判別フラグ３０５は、当該画像が加工後の画像か否かを判別する値である。例えば、加工後画像の場合は「１」が設定され、加工後画像でない場合は「０」が設定されるようにしてもよい。
【００４０】
このように、撮像部１０等で撮像された初期画像には、上記した加工処理の内容とともに、加工後画像の画像ＩＤ３０４も関連付けて記憶される。このため、記憶部１０２に記憶された画像が加工処理された画像か否かを判断することができる。また、記憶されている画像に加工後画像判別フラグ３０５も関連付けて記憶されるため、当該画像が加工後の画像であるか否かを判断することが可能となる。
【００４１】
図２に戻り、判断部１０４は、記憶部１０２に記憶されている画像に加工情報が対応付けられているか否かを判断する機能を有する。記憶部１０２には、複数の静止画像が記憶されており、判断部１０４は、複数の静止画像の各々に加工情報が対応付けられているか否かを判断して、判断した結果を画像処理部１０６に提供する。
【００４２】
画像処理部１０６は、記憶部１０２に記憶されている初期画像から、初期画像を加工情報の示す加工処理をすることにより生成される加工画像への変化の過程を示す中間画像を生成する機能を有する。また、上記した判断部１０４により、記憶部１０２に記憶されている静止画像に加工情報が対応付けられていると判断された場合に、当該静止画像から、静止画像を加工情報の示す加工処理をすることにより生成される加工画像への変化過程を示す中間画像を生成する。画像処理部１０６は、生成した中間画像を表示制御部１０８に提供する。
【００４３】
画像処理部１０６により中間画像を提供された表示制御部１０８は、初期画像（加工前画像）、中間画像、加工画像（加工後画像）を表示装置２０に表示させる機能を有する。表示装置２０に表示させる加工画像は、記憶部１０２に記憶されている加工後画像でもよいし、画像処理部１０６により生成されるようにしてもよい。
【００４４】
ここで、図４〜図６を参照して、スライドショーにより表示装置２０に画像が順次に表示される場合について説明する。図４は、スライドショーにより画像が順次に切り替えながら表示される場合の表示例について説明する説明図である。図４に示したように、記憶部１０２に画像Ａ〜Ｅが記憶されている場合には、表示制御部１０８は、画像Ａ、Ｂ、Ｃ、Ｄ、Ｅの順に画像を順次切り替えながら表示装置２０に表示する。
【００４５】
図４では、画像Ａ〜Ｅのうち、画像Ｃに加工情報が対応付けられて記憶部１０２に記憶されている場合について説明している。加工情報が対応付けられていない画像Ｃ以外の画像については、従来通りの表示を行い、加工情報が対応付けられている画像Ｃについては、加工前の画像と、加工情報の示す加工処理をすることにより生成される加工画像への変化過程を示す中間画像と、加工後の画像とを表示させていく。加工前の画像から中間画像、そして加工後の画像への変化は、動画像のような動きを表示するようにしてもよい。加工情報が対応付けられている画像の表示については後で詳細に説明する。
【００４６】
次に、図５を参照して、画像処理部１０６による中間画像の生成について説明する。図５は、画像処理部１０６による中間画像の生成について説明する説明図である。図５では、トリミングの場合を例示して中間画像の生成について説明する。上記したように加工情報には、加工の種類と画像加工パラメータが設定され、加工の種類がトリミングの場合には、画像加工パラメータとして、画像の中心点のｘ座標と、画像の中心点のｙ座標と画像の横幅と画像の縦幅などが設定されている。
【００４７】
例えば、画像加工パラメータとして、加工後の画像の中心点の座標が（Ｘ１、Ｙ１）、ｘ方向の長さＷ１、ｙ方向の長さＨ１が設定されているとする。そして、加工前の初期画像の中心座標が（Ｘ０、Ｙ０）、ｘ方向の長さＷ０、ｙ方向の長さＨ０とする。この場合、画像の表示開始から時間ｔ後（０≦ｔ≦Ｔ）に表示する画像の中心座標（ｘ、ｙ）、ｘ方向の長さｗ、ｙ方向の長さｈを以下となるように、時間経過に伴い、加工後の画像に近づいていく効果の表示を行う。中心座標（ｘ、ｙ）、ｘ方向の長さｗ、ｙ方向の長さｈは以下のように表すことができる。
【００４８】
ｘ＝{Ｘ０（Ｔ−ｔ）＋Ｘ１ｔ}／Ｔ
ｙ＝{Ｙ０（Ｔ−ｔ）＋Ｙ１ｔ}／Ｔ
ｗ＝{Ｗ０（Ｔ−ｔ）＋Ｗ１ｔ}／Ｔ
ｈ＝{Ｈ０（Ｔ−ｔ）＋Ｈ１ｔ}／Ｔ
【００４９】
図６は、加工情報に基づいて生成された中間画像の表示について説明する説明図である。表示画像４１０は、加工の種類がトリミングの場合の画像の表示を示す説明図である。図６に示したように、初期画像４１１は、時間（ｔ）経過に伴い、加工後画像４１３の画像に近づくように変化する。画像４１２は、初期画像４１１から加工画像４１３の画像に近づいていく変化過程を示す中間画像である。画像４１２は、中間画像の一例であって、当該中間画像は複数の画像であってもよい。例えば、初期画像４１１に表示されている人物の顔部分をトリミングしていく場合には、中間画像は、人物の顔部分に近づくような変化の表示を示す。複数の中間画像が表示されることにより、初期画像４１１から加工画像４１２への変化過程の画像が動画像のような表示となる。ユーザは、表示画像４１０が再生されることにより、画像の変化過程を楽しむことが可能となる。
【００５０】
また、表示画像４２０は、加工の種類がクロスフィルターの場合の画像の表示を示す説明図である。図４に示したように、初期画像４２１は、時間（ｔ）経過に伴い、加工後画像４１３の画像に近づくように変化する。画像４２２は、中間画像の一例であって、当該中間画像は複数の画像であってもよい。例えば、初期画像４２１に表示されている光がクロスフィルターの効果により輝くように表示される場合には、中間画像は、光が徐々に輝くような変化の表示を示す。複数の中間画像が表示されることにより、初期画像４２１から囲う画像４２３への変化過程の画像が動画像のような表示となる。
【００５１】
以上、加工情報に基づいて生成された中間画像について説明した。次に、図７を参照して、初期画像、中間画像、加工画像を含む表示画像を生成する場合について説明する。図７に示したように、表示画像５１０は、加工の種類がトリミングの場合の、初期画像５１１、中間画像５１２、加工画像５１３を含む表示画像の一例である。表示画像５１０では、これらの画像に背景をつけ、レイアウトして表示するようにしてもよい。ユーザは、表示画像５１０が再生されることにより、画像の変化過程を一目で楽しむことが可能となる。
【００５２】
表示画像５１０は、加工の種類がクロスフィルターの場合の、初期画像５２１、中間画像５２２、加工画像５２３を含む表示画像の一例である。表示画像５２０のように、各画像の大きさや配置は、所定の大きさや位置に変更するようにしてもよい。このように、初期画像、中間画像、加工画像の配置や大きさを変更して、１つの画像を生成することにより、画像の変化過程を１つの画像で楽しむ効果を得ることができる。１つの表示画像に表示される中間画像は、１つの中間画像でもよいし、複数の中間画像を表示させるようにしてもよい。例えば、表示画像５２０に示したように、加工の種類がクロスフィルターの場合には、光の放射の長さや明るさの変化の度合いが大きくなる複数の中間画像を生成してもよい。以上、初期画像、中間画像、加工画像を含む表示画像の生成について説明した。
【００５３】
次に、図８を参照して、画像表示制御装置１００の画像表示制御方法について説明する。図８は、画像表示制御装置１００の画像表示制御方法を示すフローチャートである。図８に示したように、まず、記憶部１０２に記憶されている画像が、加工後の画像であるか否かを判定する（Ｓ１０２）。加工後の画像であるか否かは、画像に関連付けられた加工情報に基づいて判断される。具体的には、加工情報に加工後画像フラグが設定されているか否かにより判断する。上記したように、例えば、加工後画像フラグに「１」が設定されている場合には、加工後画像であると判断することができる。
【００５４】
ステップＳ１０２において、加工後の画像ではないと判定された場合には、当該画像が加工処理を行った画像であるか否かを判定する（Ｓ１０４）。当該画像が加工処理を行った画像であるか否かは、当該画像に関連付けられた加工情報に加工の種類や画像加工パラメータが設定されているか否かにより判断する。
【００５５】
ステップＳ１０４において、画像が加工処理を行った画像であると判定された場合には、当該画像に関連付けられた加工情報に基づいて加工処理された中間画像または加工後の画像を画像処理部１０６が生成して、表示制御部１０８が表示装置２０に表示させる（Ｓ１０６）。ステップＳ１０６において、中間画像または加工後の画像が表示され、画像表示時間を経過後（Ｓ１０８）、処理を終了する。ステップＳ１０８における画像表示時間は、予め設定されていてもよいし、ユーザの入力に応じて１画像の表示時間を設定するようにしてもよい。
【００５６】
ステップＳ１０４において、画像が加工処理を行っていない画像であると判定された場合には、通常の画像表示を行う（Ｓ１１０）。ステップＳ１１０において、画像が表示され、画像表示時間を経過後（Ｓ１１２）、処理を終了する。
【００５７】
ステップＳ１０２において、加工後の画像であると判定された場合には、処理を終了する。例えばスライドショーにより記憶部１０２に記憶されている画像を表示させていく場合には、加工後の画像を表示装置２０に表示させない。加工後の画像が初期画像とは連続的に記憶されていない場合に、加工後の画像のみを初期画像とは別個に表示させないことで、より動きのある画像再生を実行することができる。以上、画像表示制御装置１００の画像表示制御方法について説明した。
【００５８】
以上、本実施形態にかかる表示制御装置１００によれば、初期画像と初期画像に対する任意の加工処理を示す加工情報を対応付けて記憶し、初期画像から初期画像を加工情報の示す加工処理をすることにより生成される加工画像への変化過程を示す中間画像を生成し、初期画像、中間画像、加工画像を表示装置に表示させる。また、記憶された静止画像に加工情報が対応付けられているか否かを判断して、当該静止画像に加工情報が対応付けられている場合には、当該画像に加工情報の示す加工処理をすることにより生成される加工画像への変化過程を示す中間画像を生成し、表示装置２０に静止画像、中間画像、加工画像を表示する
【００５９】
これにより、詳細な画像加工履歴情報を必要とすることなく、効果的で動きのある画像の再生表示が可能となる。また、ユーザは、再生時の画像の動きを意識せずに加工操作を行うことができ、再生時に加工の効果を十分に楽しむことができる。
【００６０】
従来における画像再生は、記録メディアに保存されている画像を使用するだけのものであったが、本実施形態により、画像の加工前、加工後の間の中間画像を補完して動きのある表現をすることが可能となり、ユーザに新しい視聴体験を与えることが可能となる。また、ユーザは、従来通りの画像加工操作を行うだけで、このような効果を得ることが可能となる。
【００６１】
また、加工後の画像を記録メディアに保存していなくとも、画像に関連付けられた加工情報を利用することにより、加工後の画像を表示することが可能となる。これにより、大量の画像を管理する手間を省いたり、画像を保存する記録メディアの容量を節約したりすることができる。
【００６２】
さらに、画像加工の最終パラメータのみを使用して実現することができるため、画像の加工や再生をする際に詳細な加工操作履歴情報を保存したり解読したりする必要がない。したがって、ユーザにおいても画像加工操作を実行する際に、再生時に加工効果が表れる順番を意識する必要がない。
【００６３】
また、従来のように加工前後の画像が、ユーザの全く意図しない順番で表示されることを防ぐことが可能となる。さらに、画像加工の効果を時間に対して非線形に表現したり、効果の度合いを加工前から加工後の間以外に表現したりすることにより、ユーザによりインパクトのある画像閲覧効果を与えることができる。
【００６４】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６５】
例えば、上記実施形態では、スライドショーにおけるが画像再生での実施形態を説明したが、本発明はかかる例に限定されず、ユーザ操作によって画像を一枚ずつ表示して切り替える再生方法でもよい。また、予め画像に背景をつけて、中間画像を含む複数の画像をレイアウトして表示するようにしてもよい。
【００６６】
また、上記実施形態では、画像加工のパラメータを時間に対して線形に変化させるようにしたが、本発明はかかる例に限定されず、画像加工のパラメータを時間に対して非線形に変化させるようにしてもよい。これにより、より変化に富んだ画像表示をすることが可能となる。
【００６７】
例えば、上記したクロスフィルターの画像加工がなされた画像を表示する際に、表示開始からｔ時間後（０≦ｔ≦Ｔ）の画像の光の長さｌ、光の強さｓをそれぞれ、以下のようにすることが考えられる。
ｌ＝（Ｌ／Ｔ＾２）ｔ＾２
ｓ＝（Ｓ／Ｔ＾２）ｔ＾２
【００６８】
さらに、画像パラメータを単調に増加（減少）させるだけでなく、増加と減少を組み合わせたり、画像加工のパラメータを加工前の値から加工後の値の範囲外の値に変化させたりするようにしてもよい。
【００６９】
また、上記実施形態では、画像加工処理後の画像を表示させないようにしたが、本発明はかかる例に限定されない。例えば、初期画像を表示した後に、画像加工の効果を変化させるような中間画像を表示し、初期画像に関連付けられた加工後の画像の画像ＩＤに基づいて、最後に加工後の画像を表示するようにしてもよい。これにより、加工後の画像を利用して、上記実施形態と同様の再生表示を実行することができる。
【００７０】
また、上記実施形態では、１つの画像に１つの画像加工操作をした場合について説明したが、本発明はかかる例に限定されない。例えば、ユーザが１つの画像に複数の画像加工操作をした場合には、複数の画像加工のパラメータを同時に変化させることができる。また、複数の画像加工のうち１つの加工パラメータの変化が終わった後に、別の画像加工のパラメータを変化させるようにしてもよい。この場合、画像加工情報の加工の種類や画像加工パラメータ、加工後の画像の画像ＩＤは、ユーザにより実行された複数の画像加工処理分必要となる。
【図面の簡単な説明】
【００７１】
【図１】本発明の一実施形態にかかる表示制御装置の一例であるデジタルカメラの構成を示すブロック図である。
【図２】同実施形態にかかる表示制御装置の機能構成を示すブロック図である。
【図３】同実施形態にかかる加工処理および加工処理を示す加工情報の内容について説明する説明図である。
【図４】同実施形態にかかるスライドショーにより表示装置に画像が順次に表示される場合について説明する説明図である。
【図５】同実施形態にかかる中間画像の生成について説明する説明図である。
【図６】同実施形態にかかる加工情報に基づいて生成された中間画像の表示について説明する説明図である。
【図７】同実施形態にかかる初期画像、中間画像、加工画像を含む表示画像を生成する場合について説明する説明図である。
【図８】同実施形態にかかる画像表示制御方法について説明する説明図である。
【符号の説明】
【００７２】
１００    表示制御装置
１０２    記憶部
１０４    判断部
１０６    画像処理部
１０８    表示制御部
１０      撮像部
１１      ＣＰＵ
１２      ＦＬＡＳＨメモリ
１３      Ｉ／Ｏ制御部
１４      メモリカード
１５      制御バス
１６      操作入力部
１７      プログラムＲＡＭ
１８      画像ＲＡＭ
１９      表示制御部
２０      ＬＣＤパネル（表示装置）
【図１】
2009295041.tif 000003
【図２】
2009295041.tif 000004
【図３】
2009295041.tif 000005
【図４】
2009295041.tif 000006
【図５】
2009295041.tif 000007
【図６】
2009295041.tif 000008
【図７】
2009295041.tif 000009
【図８】
2009295041.tif 000010